【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
第１の局と第２の局との間のミリメートル波無線チャネルでのピア・ツー・ピア通信のためにタイムスロットを割り当てるステップと、
チャネル時間割り当て切り捨てメッセージを使用して前記割り当てられたタイムスロットを切り捨て、少なくとも第３の局による通信の使用のために前記割り当てられたタイムスロットの切り捨てられた時間を解放するステップであり、前記切り捨てられた時間の解放は、ピコネットネットワーク・コントローラの介入なしに行われるステップと、
割り当てられた競合アクセス期間（CAP）の前記解放後の切り捨てられた時間を利用して、競合アクセス期間（CAP）を動的に割り当てるステップと
を有する方法。
【請求項２】
ミリメートル波周波数帯域でのピア・ツー・ピア通信方式を使用することにより、前記割り当てられた時間を切り捨て、前記競合アクセス期間を割り当てるコマンドを送受信するステップを有する、請求項１に記載の方法。
【請求項３】
前記ピア・ツー・ピア通信方式を使用することは、ランダムアクセス通信方式を使用することを有する、請求項２に記載の方法。
【請求項４】
第１の局から無線チャネルで信号を送受信するためにタイムスロットを割り当て、チャネル時間割り当て切り捨てメッセージを使用して前記割り当てられたタイムスロットを切り捨て、少なくとも第２の局による通信の使用のために前記割り当てられたタイムスロットの切り捨てられた時間を解放し、ただし、前記切り捨てられた時間の解放は、ピコネットネットワーク・コントローラの介入なしに行われ、割り当てられた競合アクセス期間（CAP）の前記解放後の切り捨てられた時間を利用することにより、競合アクセス期間（CAP）を動的に割り当てる通信プロセッサを有する無線通信デバイス。
【請求項５】
前記通信プロセッサに動作可能に結合され、ミリメートル波周波数帯域でのピア・ツー・ピア通信方式を使用することにより、前記割り当てられたタイムスロットを切り捨て、前記競合アクセス期間（CAP）を割り当てるコマンドを送受信するトランシーバを有する、請求項４に記載の無線通信デバイス。
【請求項６】
前記ピア・ツー・ピア通信方式は、ランダムアクセス通信方式を有する、請求項５に記載の無線通信デバイス。
【請求項７】
前記ピア・ツー・ピア通信方式は、キャリア検知多重アクセス衝突回避（CSMA/CA）通信方式を有する、請求項５に記載の無線通信デバイス。
【請求項８】
２つ以上のアンテナに動作可能に結合され、受信デバイスに直接的にビームを形成するビームフォーマを有する、請求項４に記載の無線通信デバイス。
【請求項９】
前記２つ以上のアンテナのうち１つは、前記割り当てられた競合アクセス期間を受信する無指向性アンテナである、請求項８に記載の無線通信デバイス。
【請求項１０】
２つ以上の局を有する無線通信システムであって、
局は、第１の局から無線チャネルで信号を送受信するためにタイムスロットを割り当て、チャネル時間割り当て切り捨てメッセージを使用して前記割り当てられたタイムスロットを切り捨て、少なくとも第２の局による通信の使用のために前記割り当てられたタイムスロットの切り捨てられた時間を解放し、ただし、前記切り捨てられた時間の解放は、ピコネットネットワーク・コントローラの介入なしに行われ、割り当てられた競合アクセス期間（CAP）の前記解放後の切り捨てられた時間を利用することにより、競合アクセス期間（CAP）を動的に割り当てる通信プロセッサを有する無線通信システム。
【請求項１１】
局は、前記通信プロセッサに動作可能に結合され、ミリメートル波周波数帯域でのピア・ツー・ピア通信方式を使用することにより、前記割り当てられたタイムスロットを切り捨て、前記競合アクセス期間（CAP）を割り当てるコマンドを送受信するトランシーバを有する、請求項１０に記載の無線通信システム。
【請求項１２】
前記ピア・ツー・ピア通信方式は、ランダムアクセス通信方式を有する、請求項１１に記載の無線通信システム。
【請求項１３】
前記ピア・ツー・ピア通信方式は、キャリア検知多重アクセス衝突回避（CSMA/CA）通信方式を有する、請求項１１に記載の無線通信システム。
【請求項１４】
前記局は、２つ以上のアンテナに動作可能に結合され、受信デバイスに直接的にビームを形成するビームフォーマを有する、請求項１０に記載の無線通信システム。
【請求項１５】
前記２つ以上のアンテナのうち１つは、前記割り当てられた競合アクセス期間を受信する無指向性アンテナである、請求項１４に記載の無線通信システム。
【請求項１６】
第１の局から無線チャネルで信号を送受信するためにタイムスロットを割り当て、チャネル時間割り当て切り捨てメッセージを使用して前記割り当てられたタイムスロットを切り捨て、少なくとも第２の局による通信の使用のために前記割り当てられたタイムスロットの切り捨てられた時間を解放し、ただし、前記切り捨てられた時間の解放は、ピコネットネットワーク・コントローラの介入なしに行われ、割り当てられた競合アクセス期間（CAP）の前記解放後の切り捨てられた時間を利用することにより、競合アクセス期間（CAP）を動的に割り当てる通信プロセッサと、
２つ以上のダイポールアンテナに動作可能に結合され、受信デバイスに直接的にビームを形成するビームフォーマと
を有する無線通信デバイス。
【請求項１７】
前記２つ以上のアンテナのうち１つは、前記割り当てられた競合アクセス期間を受信する無指向性アンテナである、請求項１６に記載の無線通信デバイス。
【請求項１８】
前記通信プロセッサに動作可能に結合され、ミリメートル波周波数帯域でのピア・ツー・ピア通信方式を使用することにより、前記割り当てられたタイムスロットを切り捨て、前記競合アクセス期間（CAP）を割り当てるコマンドを送受信するトランシーバを有する、請求項１６に記載の無線通信デバイス。
【請求項１９】
前記ピア・ツー・ピア通信方式は、ランダムアクセス通信方式を有する、請求項１８に記載の無線通信デバイス。
【請求項２０】
前記ピア・ツー・ピア通信方式は、キャリア検知多重アクセス衝突回避（CSMA/CA）通信方式を有する、請求項１８に記載の無線通信デバイス。
【請求項２１】
命令が実行されたときに、
第１の局と第２の局との間のミリメートル波無線チャネルでのピア・ツー・ピア通信のためにタイムスロットを割り当て、
チャネル時間割り当て切り捨てメッセージを使用して前記割り当てられたタイムスロットを切り捨て、少なくとも第３の局による通信の使用のために前記割り当てられたタイムスロットの切り捨てられた時間を解放し、ただし、前記切り捨てられた時間の解放は、ピコネットネットワーク・コントローラの介入なしに行われ、
割り当てられた競合アクセス期間（CAP）の前記切り捨てられた時間の前記解放された時間を利用して、競合アクセス期間（CAP）を動的に割り当てることを生じる命令を格納したコンピュータ可読記憶媒体を有するプロセッサ。
【請求項２２】
前記命令が実行されたときに、
ミリメートル波周波数帯域でのピア・ツー・ピア通信方式を使用することにより、前記割り当てられた時間を切り捨て、前記競合アクセス期間を割り当てるコマンドを送受信することを生じる、請求項２１に記載のプロセッサ。
【請求項２３】
前記命令が実行されたときに、
ピア・ツー・ピア通信方式を実行するときに、ランダムアクセス通信方式を使用することを生じる、請求項２２に記載のプロセッサ。